(57)【要約】      （修正有）【課題】  既存の左官用隅押さえ鏝は、押さえ板全体が変形しないようにするため丈夫に加工されており、壁塗りの仕上げ段階において隅を押さえて仕上げるとき隅以外の意図しない部分の壁に擦り傷、引き傷などを付けずに仕上げるには相当の熟練を必要としていた。さらに、壁紙のような自然な風合いの連続した凹凸の塗り壁の隅押さえ仕上げ作業には特に不向きであった。【解決手段】  左官用出隅用押さえ鏝では、押さえ板３４の左右両端部３４ａおよび３４ｂを、また、左官用入り隅用押さえ鏝では、押さえ板の左右両端部に弾力性を持たせる事で、初心者でも短時間の訓練で作業時間が飛躍的に短縮でき、効率的な見栄えのする壁塗り作業を可能にする。また、自然な風合いに仕上げる塗り壁の隅押さえも可能となる。【選択図】図９
0003130045.tif 000002
【実用新案登録請求の範囲】
【請求項１】
押さえ板の中央部は強度を強くして、両端部はしなやかな弾力を持たせた事を特徴とする左官用隅押さえ鏝。
【考案の詳細な説明】
【技術分野】
【０００１】  本考案は壁塗り仕上げ作業の最終作業となる、柱の際などの角張ったコーナー部分（以下、出隅部分）や入り組んだコーナー部分（以下、入り隅部分）をしっかり押さえることが出来、なおかつそれ以外の周りの壁に押さえ傷や引き傷を作らないで仕上げることが出来る左官用出隅ならびに入り隅用押さえ鏝を提供するものである。
【背景技術】
【０００２】  従来の壁塗り仕上げ作業用の左官用出隅ならびに入り隅用の隅押さえ鏝は、押さえ板に厚みが有り、なおかつ全面が強固に加工されていた。
【考案の開示】
【考案が解決しようとする課題】
【０００３】  従来の左官用出隅用押さえ鏝（図１）または、入り隅用押さえ鏝（図２）の押さえ板は全体が金属など強度のある画一的な材質の物で中央部を縦に約９０度で折り曲げ、固定加工されていた。これらは、従来からの土壁や荒壁の隅押さえには適していたが、やわらかい壁材に対して融通性がなく、その押さえ板の両端部で周りの壁に意図しない傷をしばしばつけていた。【０００４】  さらに、熟練者であっても、壁紙などに見られるような自然な風合いの凹凸仕上げの隅押さえ作業には使えないなどの欠点があったため本考案はこれを解決するためのものである。
【課題を解決するための手段】
【０００５】  本考案の左官用出隅ならびに入り隅用押さえ鏝は、従来のような全体が金属など強度のある画一的な材質の押さえ板では無く、内側が丈夫でさらにその外側に薄くて弾力性のある、押さえ板（図３の３４または図４の４４）を装着することで、その左右の両端部（図３の３４ａおよび３４ｂまたは図４の４４ａおよび４４ｂ）に弾力性をもたせることにより実現する。
【考案の効果】
【０００６】  本考案の左官用出隅用の隅押さえ鏝の効果を図３において説明すると、柄３１の下部に柱脚３２を固定してさらに、その先に強度のある内側押さえ板３３を固定する。さらにその最先端部分に薄くて弾力性のある、外側押さえ板３４を固定する。
その押さえ板３４の押さえ板の左端部３４ａや押さえ板右端部３４ｂは、弾力性があるので鏝を押さえる力が強すぎた場合でも、仕上げる出隅部分の壁面やその周りの壁に不用意な引っかき傷をつけることはない。【０００７】  同様に、本考案の左官用入り隅用の隅押さえ鏝の効果を図４において説明すると、柄４１の下部に柱脚４２を固定してさらに、その先に強度のある内側押さえ板４８を固定する。さらにその最先端部分に薄くて弾力性のある、外側押さえ板４４を固定する。
その押さえ板４４の押さえ板の左端部４４ａや押さえ板右端部４４ｂは、弾力性があるので鏝を押さえる力が強すぎた場合でも、仕上げる入り隅部分の壁面やその周りの壁に不用意な引っかき傷をつけることはない。
また、この左官用出隅ならびに入り隅用の隅押さえ鏝で、壁紙などに見られるような自然な風合いの壁面の隅を仕上げていく過程において、出隅部分であれば主に押さえ板３４、また、入り隅部分であれば主に押さえ板４４の中央部を使うので、出隅、入り隅以外の既に自然な風合いに仕上げられた壁面に対しては、不必要に押さえすぎる事もなく、連続した自然な風合いの凹凸状を温存したままムラ無く仕上げができる効果がある。【０００８】  さらに、上記理由から短時間の訓練で見栄えのする隅押さえ塗り作業が可能となる。【０００９】  さらに、上記理由から作業時間が飛躍的に短縮でき、効率的な作業が出来る。【００１０】  さらに、本考案は実施するに当り、特殊な加工工程も追加する材料も少ないので安価な製品化が可能となる。
【考案を実施するための最良の形態】
【００１１】  作業者の握り部である柄３１または４１に柱脚３２または４２を固定して、その先に強度のある押さえ板３３または４３の中央上部を固定し、さらにその最先端部分に薄くて弾力性のある押さえ板３４または４４を固定する構造とする。
【実施例】
【００１２】  本考案の左官用隅押さえ鏝を図において説明すると、
図３において、柄３１に柱脚３２を固定し、その先に強度のある押さえ板３３を固定し、さらにその最先端部分に薄くて弾力性のある押さえ板３４を固定する。
図４において、柄４１に柱脚４２を固定し、その先に強度のある押さえ板４３を固定し、さらにその最先端部分に薄くて弾力性のある押さえ板４４を固定する。
図５において、柄５１に柱脚５２を固定し、その先に強度のある押さえ板５３を固定し、さらにその最先端部分に薄くて弾力性のある押さえ板５４および５５を固定する。
図６において、柄６１に柱脚６２を固定し、その先に強度のある押さえ板６３を固定し、さらにその最先端部分に薄くて弾力性のある押さえ板６４および６５を固定する。
図７において、柄７１に柱脚７２を固定し、その先に強度のある押さえ板７８を固定し、さらにその最先端部分に薄くて弾力性のある押さえ板７４および７５を固定する。
図８において、柄８１に柱脚８２を固定し、その先に強度のある押さえ板８３を固定し、さらにその最先端部分に薄くて弾力性のある押さえ板８４および８５を固定する。
【図面の簡単な説明】
【００１３】
【図１】従来の左官用出隅押さえ鏝の断面図
【図２】従来の左官用入り隅押さえ鏝の断面図
【図３】本考案の左官用出隅押さえ鏝の実施例１を示した断面図
【図４】本考案の左官用入り隅押さえ鏝の実施例２を示した断面図
【図５】本考案の左官用出隅押さえ鏝の実施例３を示した断面図
【図６】本考案の左官用入り隅押さえ鏝の実施例４を示した断面図
【図７】本考案の左官用出隅押さえ鏝の実施例５を示した断面図
【図８】本考案の左官用入り隅押さえ鏝の実施例６を示した断面図
【図９】本考案の左官出隅押さえ鏝の実施例１を示した斜視図
【図１０】本考案の左官入り隅押さえ鏝の実施例２を示した斜視図
【符号の説明】
【００１４】１１は従来型の左官用出隅押さえ鏝の柄
１２は従来型の左官用出隅押さえ鏝の柱脚
１３は従来型の左官用出隅押さえ鏝の押さえ板
１３ａは従来型の左官用出隅押さえ鏝の押さえ板左端部
１３ｂは従来型の左官用出隅押さえ鏝の押さえ板右端部
２１は従来型の左官用入り隅押さえ鏝の柄
２２は従来型の左官用入り隅押さえ鏝の柱脚
２３は従来型の左官用入り隅押さえ鏝の押さえ板
２３ａは従来型の左官用入り隅押さえ鏝の押さえ板左端部
２３ｂは従来型の左官用入り隅押さえ鏝の押さえ板右端部
３１は本考案実施例１の左官用出隅押さえ鏝の柄
３２は本考案実施例１の左官用出隅押さえ鏝の柱脚
３３は本考案実施例１の左官用出隅押さえ鏝の内側押さえ板
３４は本考案実施例１の左官用出隅押さえ鏝の外側押さえ板
３４ａは本考案実施例１の左官用出隅押さえ鏝の外側押さえ板左端部
３４ｂは本考案実施例１の左官用出隅押さえ鏝の外側押さえ板右端部
４１は本考案実施例２の左官用入り隅押さえ鏝の柄
４２は本考案実施例２の左官用入り隅押さえ鏝の柱脚
４３は本考案実施例２の左官用入り隅押さえ鏝の内側押さえ板
４４は本考案実施例２の左官用入り隅押さえ鏝の外側押さえ板
４４ａは本考案実施例２の左官用入り隅押さえ鏝の外側押さえ板左端部
４４ｂは本考案実施例２の左官用入り隅押さえ鏝の外側押さえ板右端部
５１は本考案実施例３の左官用出隅押さえ鏝の柄
５２は本考案実施例３の左官用出隅押さえ鏝の柱脚
５３は本考案実施例３の左官用出隅押さえ鏝の内側押さえ板
５４は本考案実施例３の左官用出隅押さえ鏝の外側押さえ板
５５は本考案実施例３の左官用出隅押さえ鏝の外側押さえ板
６１は本考案実施例４の左官用入り隅押さえ鏝の柄
６２は本考案実施例４の左官用入り隅押さえ鏝の柱脚
６３は本考案実施例４の左官用入り隅押さえ鏝の内側押さえ板
６４は本考案実施例４の左官用入り隅押さえ鏝の外側押さえ板
６５は本考案実施例４の左官用入り隅押さえ鏝の外側押さえ板
７１は本考案実施例５の左官用出隅押さえ鏝の柄
７２は本考案実施例５の左官用出隅押さえ鏝の柱脚
７３は本考案実施例５の左官用出隅押さえ鏝の内側押さえ板
７４は本考案実施例５の左官用出隅押さえ鏝の外側押さえ板
７５は本考案実施例５の左官用出隅押さえ鏝の外側押さえ板
８１は本考案実施例６の左官用入り隅押さえ鏝の柄
８２は本考案実施例６の左官用入り隅押さえ鏝の柱脚
８３は本考案実施例６の左官用入り隅押さえ鏝の内側押さえ板
８４は本考案実施例６の左官用入り隅押さえ鏝の外側押さえ板
８５は本考案実施例６の左官用入り隅押さえ鏝の外側押さえ板
【図１】
0003130045.tif 000003
【図２】
0003130045.tif 000004
【図３】
0003130045.tif 000005
【図４】
0003130045.tif 000006
【図５】
0003130045.tif 000007
【図６】
0003130045.tif 000008
【図７】
0003130045.tif 000009
【図８】
0003130045.tif 000010
【図９】
0003130045.tif 000011
【図１０】
0003130045.tif 000012
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
壁塗り仕上げ作業時等に柱の際などの出隅部分や入り隅部分を施工する隅押さえ鏝の押さえ板を、強度のある内側押さえ板と薄くて弾力性を有する外側押さえ板を組み合わせて形成することにより、押さえ板の中央部の強度を確保しつつ、両端部にしなやかな弾力を持たせたことを特徴とする左官用隅押さえ鏝。
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
所定の角度で成形された厚みが有り強固な材料から成る内側押さえ板と、壁面に直接接触する薄くかつ弾力性を有する材料から成る外側押さえ板とで構成され、内側押さえ板の角度を形成する２辺に、２枚の外側押さえ板をそれぞれ固着し、あるいは内側押さえ板と同角度で折り曲げ加工された１枚の外側押さえ板を当該２辺に固着する構造を特徴とする、左官用隅押さえ鏝。